(57)【要約】【課題】雨水の滞留を防止し得るコルゲートチューブを提供する。【解決手段】両端部を除いて、コルゲートチューブ１１の長手方向に複数本の縦溝１２を平行に形成した。【選択図】図１
2018026932.tif 000002
【特許請求の範囲】
【請求項１】
両端部を除いて、長手方向に複数本の縦溝を平行に形成したことを特徴とするコルゲートチューブ。
【請求項２】
請求項１に記載のコルゲートチューブにおいて、
前記縦溝を、周方向において等間隔に形成したことを特徴とするコルゲートチューブ。
【請求項３】
請求項１又は２に記載のコルゲートチューブにおいて、
前記縦溝を３本以上形成したことを特徴とするコルゲートチューブ。
【請求項４】
電線束を挿通したコルゲートチューブの両端部から前記電線束にかけてテープを巻着してコルゲートチューブを電線束に固定するワイヤーハーネスにおいて、
前記コルゲートチューブには、両端部を除いて長手方向に複数本の縦溝を平行に形成したことを特徴とするワイヤーハーネス。
【請求項５】
両端部を除いて長手方向に複数本の縦溝を形成したコルゲートチューブを縮めた状態で該コルゲートチューブに電線束を挿通し、次いで前記コルゲートチューブを引き延ばし、該コルゲートチューブの両端部から前記電線束にかけてテープを巻着することを特徴とするワイヤーハーネスの製造方法。
【発明の詳細な説明】
【技術分野】
【０００１】
本発明は、ワイヤーハーネスを被覆するコルゲートチューブ、ワイヤーハーネス及びワイヤーハーネスの製造方法に関するものである。
【背景技術】
【０００２】
従来、自動車に搭載された機器を電気的に接続するために車室内外に配設されるワイヤーハーネスは、車体との摩擦や機械的な衝撃あるいは浸水による損傷を防止するために、コルゲートチューブで被覆されることがある。
【０００３】
図５は、コルゲートチューブで被覆されたワイヤーハーネスの一例を示す。ワイヤーハーネスの電線束１は、所要の位置にコルゲートチューブ２で被覆されている。
図６に示すように、コルゲートチューブ２は合成樹脂で筒状に成型されるとともに、全長に亘って割り３が形成されている。
【０００４】
ワイヤーハーネスの組み立て時には、電線束１が割り３からコルゲートチューブ２内に挿入され、コルゲートチューブ２の両端部を覆うように電線束１にテープ４が巻着されて、コルゲートチューブ２が電線束１に固定されている。
【０００５】
このような構成により、電線束１が所要位置でコルゲートチューブ２で被覆されて保護される。そして、上記ワイヤーハーネスがコルゲートチューブ２の装着位置で固定バンド５を介して車体等に固定される。
【０００６】
特許文献１には、長手方向にスリットが形成されたコルゲートチューブが開示されている。
【先行技術文献】
【特許文献】
【０００７】
【特許文献１】特開２０１６−９３０４６号公報
【発明の概要】
【発明が解決しようとする課題】
【０００８】
上記のようなコルゲートチューブ２を備えたワイヤーハーネスでは、例えばエンジンルーム内で被水すると、１本の割り３からコルゲートチューブ２内に浸水することがある。そして、コルゲートチューブ２内に雨水が滞留すると、コルゲートチューブ２内の電線束１の被覆が劣化するという問題点がある。
【０００９】
特許文献１に開示されたコルゲートチューブにおいても、スリットからの浸水と、雨水の滞留を防止する構成は開示されていない。
この発明はこのような事情に鑑みてなされたものであり、その目的は雨水の滞留を防止し得るコルゲートチューブを提供することにある。
【課題を解決するための手段】
【００１０】
上記課題を解決するコルゲートチューブは、両端部を除いて、長手方向に複数本の縦溝を平行に形成したことを特徴とする。
この構成により、コルゲートチューブ内に雨水が侵入しても、その雨水をいずれかの縦溝から排出しやすい。また、コルゲートチューブを長手方向に縮めてその中間部を外側に湾曲させ、その状態でコルゲートチューブに電線束を挿通可能となる。
【００１１】
また、上記のコルゲートチューブにおいて、前記縦溝を、周方向において等間隔に形成することが好ましい。
この構成により、コルゲートチューブの長手方向中間部を径方向外側に湾曲させやすい。
【００１２】
また、上記のコルゲートチューブにおいて、前記縦溝を３本以上形成することが好ましい。
この構成により、コルゲートチューブを長手方向に縮めて、コルゲートチューブの長手方向中間部を径方向外側に湾曲させやすい。
【００１３】
上記課題を解決するワイヤーハーネスは、電線束を挿通したコルゲートチューブの両端部から前記電線束にかけてテープを巻着してコルゲートチューブを電線束に固定するワイヤーハーネスにおいて、前記コルゲートチューブには、両端部を除いて長手方向に複数本の縦溝を平行に形成したことを特徴とする。
【００１４】
この構成により、コルゲートチューブを長手方向に縮めてその中間部を外側に湾曲させると、コルゲートチューブに電線束を挿通し易い。
上記課題を解決するワイヤーハーネスの製造方法は、両端部を除いて長手方向に複数本の縦溝を形成したコルゲートチューブを縮めた状態で該コルゲートチューブに電線束を挿通し、次いで前記コルゲートチューブを引き延ばし、該コルゲートチューブの両端部から前記電線束にかけてテープを巻着することを特徴とする。
【００１５】
この方法により、コルゲートチューブに電線束を挿通し易い。
【発明の効果】
【００１６】
本発明のコルゲートチューブによれば、雨水の滞留を防止することができる。
【図面の簡単な説明】
【００１７】
【図１】一実施形態のコルゲートチューブを示す斜視図。
【図２】ワイヤーハーネスの組み立て手順を示す正面図。
【図３】ワイヤーハーネスの組み立て手順を示す正面図。
【図４】ワイヤーハーネスの組み立て手順を示す正面図。
【図５】従来のコルゲートチューブを使用したワイヤーハーネスを示す正面図。
【図６】従来のコルゲートチューブを示す斜視図。
【発明を実施するための形態】
【００１８】
以下、コルゲートチューブの一実施形態を図面に従って説明する。
図１に示すコルゲートチューブ１１は、合成樹脂で筒状に成型されるとともに、周方向に等間隔に３本の縦溝１２が平行に形成されている。各縦溝１２は、コルゲートチューブ１１の長手方向中間部から両端部近傍まで形成されて、長手方向両端部は、縦溝１２が形成されない筒状となっている。
【００１９】
図２に示すように、コルゲートチューブ１１は、縦溝１２を設けたことにより、長手方向に縮めると、長手方向中間部が径方向外側に湾曲する。従って、ワイヤーハーネスにコルゲートチューブ１１を取着するには、コルゲートチューブ１１を長手方向に縮めてその中間部を外側に湾曲させ、この状態でコルゲートチューブ１１に電線束１を挿通する。
【００２０】
図３に示すように、次いで、コルゲートチューブ１１の一端部を覆うように電線束１にテープ１３ａを巻着し、縮めていたコルゲートチューブ１１を引き延ばし、コルゲートチューブ１１の他端部を覆うように電線束１にテープ１３ｂを巻着する。すると、コルゲートチューブ１１が電線束１の所要位置に固定される。
【００２１】
そして、図４に示すように、コルゲートチューブ１１が取着されたワイヤーハーネスが、コルゲートチューブ１１の装着位置で固定バンド５を介して車体等に固定される。
上記のようなコルゲートチューブ１１を備えたワイヤーハーネスでは、次に示す効果を得ることができる。
【００２２】
（１）縦溝１２によりコルゲートチューブ１１を長手方向に縮めて、長手方向中間部を径方向外側に湾曲させ、この状態で電線束１をコルゲートチューブ１１に挿通すると、コルゲートチューブ１１の内周面と電線束１との摩擦を軽減することができる。従って、電線束１をコルゲートチューブ１１に容易に挿通することができる。
【００２３】
（２）縦溝１２が３本設けられているので、縦溝１２からコルゲートチューブ１１内に雨水等が侵入しても、縦溝１２の少なくともいずれかから侵入した雨水を排出しやすい。従って、雨水等の滞留による電線束の被覆の劣化を抑制することができる。
【００２４】
（３）縦溝１２を周方向に等間隔に設けたので、コルゲートチューブ１１を長手方向に縮めたとき、長手方向中間部を径方向外側に湾曲させやすい。
なお、上記実施形態は以下のように変更してもよい。
【００２５】
・縦溝を４本以上としてもよい。
【符号の説明】
【００２６】
１…電線束、１１…コルゲートチューブ、１２…縦溝、１３ａ，１３ｂ…テープ。
【図１】
2018026932.tif 000003
【図２】
2018026932.tif 000004
【図３】
2018026932.tif 000005
【図４】
2018026932.tif 000006
【図５】
2018026932.tif 000007
【図６】
2018026932.tif 000008